(57)【要約】【課題】カキ氷台座及びベースを容易に組立てたり分解したりしてきれいに洗浄することができる組立て式カキ氷機を提供する。【解決手段】組立て式カキ氷機は、伝動ベース２及び位置規制座２３を備える。伝動ベース２の下方には、受けベース３が取り付けられる。位置規制座２３は、螺着部材により伝動ベース２の底端に螺着される。位置規制係合溝には、カキ氷台座４の頂端近くに設けられた第１の係合ブロック４３が係合される。カキ氷台座４の底端には、ベース５が係合される。カキ氷台座４及びベース５は、伝動ベース２と受けベース３との間に配設される。カキ氷台座４は、中空状の中空収容室である。中空収容室上には、開口部４１が形成される。カキ氷台座４の底端外縁近くには、第２の係合ブロック４４が設けられる。【選択図】図２
0003191198.tif 000002
【実用新案登録請求の範囲】
【請求項１】
伝動ベース及び位置規制座を備えた組立て式カキ氷機であって、
上記伝動ベースの下方には受けベースが取り付けられ、
上記位置規制座は、螺着部材により伝動ベースの底端に螺着され、
上記位置規制座には透孔が形成され、該位置規制座の底面には第１の位置規制係合溝が形成され、上記位置規制係合溝には、カキ氷台座の頂端近くに設けられた第１の係合ブロックが係合され、上記カキ氷台座の底端にはベースが係合され、上記カキ氷台座及びベースは伝動ベースと受けベースとの間に配設され、
上記カキ氷台座は中空状の中空収容室であり、該中空収容室上には開口部が形成され、上記カキ氷台座の底端外縁近くには第２の係合ブロックが設けられ、
上記ベース上には第２の位置規制係合溝が形成され、該第２の位置規制係合溝には上記カキ氷台座の第２の係合ブロックが係合されることを特徴とする組立て式カキ氷機。
【請求項２】
前記第２の位置規制係合溝は、一端に形成された開口端と、他端に形成された封止端の収容室と、を有することを特徴とする請求項１に記載の組立て式カキ氷機。
【請求項３】
前記第２の位置規制係合溝及び第２の係合ブロックの個数は複数であることを特徴とする請求項１に記載の組立て式カキ氷機。
【請求項４】
前記ベースの底端には材料投入口が形成され、
上記材料投入口には切削刃が突設され、
上記ベースの底端からベースの外側に向かって傾斜セクションのカッターホルダ及びストッパ板が設けられ、上記カッターホルダ上には螺着座が設けられ、切削刃及び押刃ブロックが上記カッターホルダに嵌合され、外側から内側にかけて挿設された螺着部材により螺着されることを特徴とする請求項１に記載の組立て式カキ氷機。
【請求項５】
前記ストッパ板は、切削刃及び押刃ブロックがカッターホルダに嵌合されたときの最高位置より高いことを特徴とする請求項４に記載の組立て式カキ氷機。
【請求項６】
前記カキ氷台座の開口直径は角氷の最大外径より大きいことを特徴とする請求項１に記載の組立て式カキ氷機。
【考案の詳細な説明】
【技術分野】
【０００１】
本考案は、組立て式カキ氷機に関し、特に、カキ氷台座及びベースを容易に組立てたり分解したりしてきれいに洗浄することができる組立て式カキ氷機に関する。
【背景技術】
【０００２】
図６及び図７に示すように、従来のカキ氷機１の本体１１上には、ベース１２及び切削台１３が配設され、モータにより回転台１４を回転させ、角氷１６を回転台１４と切削台１３との間に設置し、切削刃１５により角氷１６を切削し、切削台１３とベース１２との間に設けた受け皿１７により切削したカキ氷を受け、暑さを吹き飛ばす冷たいカキ氷を作ることができる。しかし、カキ氷の切削が完了して切削台１３を洗浄する際、分解せずにカキ氷機１全体を清潔な水で洗うことが一般的であり、氷が解けてできた水分と、洗浄した後に残った水分とにより表面が酸化したり残留した雑菌が繁殖し、切削して作るカキ氷の衛生上、悪影響があった。
【考案の概要】
【考案が解決しようとする課題】
【０００３】
本考案の目的は、位置規制座、カキ氷台座及びベースを容易に組立てたり分解したりし、その組立て時間を減らす組立て式カキ氷機を提供することにある。
本考案のもう一つの目的は、カキ氷台座とカッターホルダとを容易に組立てたり分解したりしてカキ氷台座を取り外して洗浄を完全に行うことにより、カキ氷台座及び位置規制座内に水分、糖分が残留せずに雑菌の繁殖を防ぐことができる組立て式カキ氷機を提供することにある。
【図面の簡単な説明】
【０００４】
【図１】本考案の一実施形態に係るカキ氷機及び位置規制座を示す分解斜視図である。
【図２】本考案の一実施形態に係る組立て式カキ氷機を示す分解斜視図である。
【図３】本考案の一実施形態に係る組立て式カキ氷機の位置規制座、カキ氷台座及びベースを示す分解斜視図である。
【図４】本考案の一実施形態に係る組立て式カキ氷機の位置規制座、カキ氷台座及びベースを示す斜視図である。
【図５】本考案の一実施形態に係る組立て式カキ氷機の位置規制座、カキ氷台座及びベースを別の角度から見たときの状態示す斜視図である。
【図６】従来のカキ氷機を示す斜視図である。
【図７】従来のカキ氷機上に角氷を設置したときの状態を示す斜視図である。
【考案を実施するための形態】
【０００５】
図１〜図５を参照する。図１〜図５に示すように、本考案の一実施形態に係る組立て式カキ氷機の伝動ベース２の下方には、軸棒２１により受けベース３が取り付けられている。伝動ベース２の下方には、回転台２２が配設されている。回転台２２は、ハンドル２４に力が加えられると上下方向へ変位する。伝動ベース２の底端には、螺着部材２３２により位置規制座２３が螺着されている。位置規制座２３には、透孔２３１が形成されている。透孔２３１の直径は、回転台２２の最大外径より大きい。透孔２３１には、回転台２２が挿設され、位置規制座２３下には複数の第１の位置規制係合溝２３３が形成されている。第１の位置規制係合溝２３３は、一端に開口端２３４が形成され、他端に封止端２３５の収容室が形成され、伝動ベース２と受けベース３との間には、カキ氷台座４及びベース５が配設されている。カキ氷台座４は、中空状の中空収容室である。中空収容室上には開口部４１が形成され、開口部４１の外縁には首部４２が設けられている。首部４２の最大外縁は、位置規制座２３の透孔２３１の内径より小さく、カキ氷台座４の外縁直径は、位置規制座２３の透孔２３１の内径より大きい上、カキ氷台座４の頂端及び底端外縁には、第１の係合ブロック４３及び第２の係合ブロック４４がそれぞれ設けられる。第１の係合ブロック４３は、位置規制座２３の第１の位置規制係合溝２３３内に係合されて位置決めされる。
【０００６】
ベース５上には、多数の第２の位置規制係合溝５１が形成される。第２の位置規制係合溝５１は、カキ氷台座４の第２の係合ブロック４４を係合するために用いる。第２の位置規制係合溝５１は、一端に開口端５１１が形成され、他端に封止端５１２の収容室が形成されるとともに、ベース５の底端には、材料投入口５１３が形成され、ベース５の底端からベース５の外側に向かって傾斜セクションのカッターホルダ５２及びストッパ板５３が設けられている。カッターホルダ５２上には、螺着座５２１が設けられ、切削刃５４及び押刃ブロック５５がカッターホルダ５２に嵌合されると、螺着部材５６により外側から内側にかけて螺着され、切削刃５４及び押刃ブロック５５がカッターホルダ５２に嵌合されるとストッパ板５３内に収容され、かつ、切削刃５４の刃が材料投入口５１３から突出されている。
【０００７】
位置規制座２３の透孔２３１には、回転台２２が挿設され、螺着部材２３２により伝動ベース２の底端に螺着されると位置規制座２３の組立てが完了し、氷を切削する際、カキ氷台座４の底端にベース５を嵌合させてベース５を回転させると（本実施形態では時計回りで回転させる）、ベース５の第２の位置規制係合溝５１は、開口端５１１によりカキ氷台座４の第２の係合ブロック４４をその中に収容し、封止端５１２を位置決めする。このときの角氷は、カキ氷台座４の開口部４１を介して収容室内に設置された後、位置規制座２３の透孔２３１中にカキ氷台座４の首部４２を嵌合させ、首部４２の底縁を位置規制座２３の底部に当接させ、位置規制座２３の第１の位置規制係合溝２３３に対して第１の係合ブロック４３を平行に設置し、カキ氷台座４を時計回りで回転させ、カキ氷台座４の第１の係合ブロック４３を第１の位置規制係合溝２３３の開口端２３４に挿入すると、第１の位置規制係合溝２３３により封止端２３５が位置拘束されてカキ氷台座４が伝動ベース２下に固着され、カキ氷機のスイッチをオンすると、伝動ベース２内の駆動モータ（図示せず）により回転台２２が回転し、ハンドル２４に力を加えて回転台２２を押下して角氷上に当接させると、角氷が回転台２２の回転に伴って回転し、角氷の下部が切削刃５４により切削され、ベース５の材料投入口５１３から材料が排出される。氷の切削が完了してカキ氷機の使用が終了した後、ユーザはカキ氷台座４を逆時計回りで回転させ、カキ氷台座４の第１の係合ブロック４３が位置規制座２３の第１の位置規制係合溝２３３から外れないようにベース５を回転させ、ベース５の第２の位置規制係合溝５１がカキ氷台座４の第２の係合ブロック４４から外れて位置拘束され、カキ氷台座４及びベース５の分解を容易に行って洗浄を完全に行い、カキ氷台座４及びベース５に水分、糖分が残留せずに雑菌が繁殖すること防ぎ、切削されたカキ氷の衛生に悪影響を与える虞があり、ストッパ板５３の高さが切削刃５４及び押刃ブロック５５がカッターホルダ５２に嵌合されたときの最高位置より高いため、その中に収容され、ユーザがベース５をカキ氷台座４下から外したりカキ氷台座４と組み合わせる際、安全に操作することができる。
【０００８】
上述したことから分かるように、本考案の組立て式カキ氷機は、カキ氷台座の第１の係合ブロックと位置規制座の第１の位置規制係合とを分離し、カキ氷台座の第２の係合ブロックとベースの第２の位置規制係合溝とを容易に分離することができるため、組立て時間が短縮され、切削台を取り外して洗浄を完全に行い、切削台及び位置規制座内に水分、糖分が残留して雑菌が繁殖することを防ぐことができる。
【符号の説明】
【０００９】
１    カキ氷機
２    伝動ベース
３    受けベース
４    カキ氷台座
５    ベース
１１  本体
１２  ベース
１３  切削台
１４  回転台
１５  切削刃
１６  角氷
１７  受け皿
２１  軸棒
２２  回転台
２３  位置規制座
２４  ハンドル
４１  開口部
４２  首部
４３  第１の係合ブロック
４４  第２の係合ブロック
５１  第２の位置規制係合溝
５２  カッターホルダ
５３  ストッパ板
５４  切削刃
５５  押刃ブロック
５６  螺着部材
２３１  透孔
２３２  螺着部材
２３３  第１の位置規制係合溝
２３４  開口端
２３５  封止端
５１１  開口端
５１２  封止端
５１３  材料投入口
５２１  螺着座
【図１】
0003191198.tif 000003
【図２】
0003191198.tif 000004
【図３】
0003191198.tif 000005
【図４】
0003191198.tif 000006
【図５】
0003191198.tif 000007
【図６】
0003191198.tif 000008
【図７】
0003191198.tif 000009